(57)【要約】      （修正有）【課題】本体装置の第１の装置に、第２の装置をオプション装置のごとく、個々の装置筐体を、増設の順番に基づかないで積層して結合するネジ締め付け固着構造を提供する。【解決手段】オプション装置の第２の装置２に設ける結合ツメ部２５を、本体装置の第１の装置１の対応する箇所に引っ掛け、コネクタ２２っを結合させる。さらに、上記第１の装置１に設けるネジ穴１３に、上記第２の装置２に付属するローレットネジ２３のネジの先端を挿入して側面よりローレットネジ２３の円板部によって回転させて締め付け固着する。【選択図】            図１
2004281592.tif 000002
【特許請求の範囲】
【請求項１】
個々の装置筐体を積層して結合するネジ締め付け固着構造において、
対向する位置に配するネジ穴とすきま穴に嵌合し、締め付け方向に垂直な方向より回転力を受けるローレットネジにより締め付け固着することを特徴とする、ネジ締め付け固着構造。
【発明の詳細な説明】
【０００１】
【発明の属する技術分野】
この発明は、電子装置相互間の結合にかかる固着構造に関するものであり、例えば本体装置に増設するオプション装置のごとく、筐体構造を積層して結合するネジ締め付け固着構造に関するものである。
【０００２】
【従来の技術】
従来より、情報処理機器において環境破壊への配慮をも意識した製品寿命を延伸させる手段としてアップグレード可能な機能・構造を持つ装置が要求される。前記の要求に対応する手法として、アップグレード可能なオプション装置を本体装置に接続するという方法が考えられる。
【０００３】
図３、図４および図５に基づいて、従来の技術によって情報処理機器を接続する固着構造を説明する。
【０００４】
図３に示すごとく、第１の装置５（本体装置）と第２の装置６（オプション装置）とを積層して結合する。
【０００５】
すなわち第２の装置６に設ける結合ツメ部６５を第１の装置５の対応する箇所に引っ掛け、コネクタ６２を結合させ、すきま穴６４より通したコネジ６３（図４を参照）を第１の装置５に設けるネジ穴５３に係止する。
【０００６】
図４に、第１の装置５と第２の装置６を積層して結合した状態の詳細を示す。
【０００７】
第１の装置５に内蔵するプリント板ユニット５１は、当該プリント板ユニット５１に配設するコネクタ５２からコネクタ６２を介して第２の装置６に内蔵するプリント板ユニット６１と電気的に接続する。
【０００８】
さらに第１の装置５に設けるネジ穴５３に第２の装置６に設ける作業穴６５およびプリント板ユニット６１に設ける切り欠きを通して運び込んだコネジ６３をもって第２の装置６の筐体を第１の装置５に締め付けて固着する。
【０００９】
前記の第１の装置５および第２の装置６に、さらにもう１個の第２の装置６を接続させる場合は、図５に示すスペーサ６６を適用する。
【００１０】
当該スペーサ６６は円柱形をなし、その一方の先端におネジ部６６２を備え、他端にはネジ穴部６６３とすり割り部６６４とを備える。
【００１１】
すなわち前記の第２の装置６を増設する際には、既に説明したごとく結合ツメ部６５およびコネクタ６２によって接合し、コネジ６３を取り外した後のネジ穴５３にスペーサ６６のおネジ部６６２を挿入してねじ込む。
【００１２】
前記のスペーサ６６のネジ穴部６６３と増設に供する第２の装置６のすきま穴６４とをコネジ６３によって締結する。
【００１３】
前記の方式をもって、当該第１の装置５は複数個数の第２の装置６を増設することが可能である。
【００１４】
しかしながら、例えば保守作業等で分解の必要性が生じた場合は最終に増設した第２の装置６から順に分解してゆかなければならず、当然のことながら中間位置に組み込んだ第２の装置６を取り外したい場合などでは作業の効率が悪くなってくる。
【００１５】
【発明が解決しようとする課題】
上述したごとく、従来の技術において第１の装置に複数個数の第２の装置を増設するということは可能であるが、増設の順番に基づいた分解の手順を守らなければ分解等が不可能になるという問題点がある。
【００１６】
これより、この発明は以上の問題点を解消すべくなされたものであって、増設の順番に基づかないで分解などの操作を可能にする固着構造を提供することを目的とする。
【００１７】
【課題を解決するための手段】
個々の装置筐体を積層して結合するネジ固着構造において、対向する位置に配するネジ穴とすきま穴に嵌合し、締め付け方向に垂直な方向より回転力を受けるローレットネジにより締め付け固着する。
【００１８】
この手段を取ることによって、個々の装置筐体を積層して結合するネジ締め付けの操作を装置側面より行なうという作用を得る。
【００１９】
【発明の実施の形態】
図１および図２に、この発明の実施の形態を示す。図中において、１は全体の基本となる第１の装置であり、２は前記の第１の装置に増設する第２の装置を示す。
【００２０】
図１に示すごとく、第１の装置１（本体装置）と第２の装置２（オプション装置）とを積層して結合する。
【００２１】
すなわち第２の装置２に設ける結合ツメ部２５を第１の装置１の対応する箇所に引っ掛け、コネクタ２２を結合させる。
【００２２】
図２（ａ）に示すごとく、第１の装置１に内蔵するプリント板ユニット１１は、当該プリント板ユニット１１に配設するコネクタ１２からコネクタ２２を介して第２の装置２に内蔵するプリント板ユニット２１と電気的に接続する。
【００２３】
さらに第１の装置１に設けるネジ穴１３に、第２の装置２に付属するローレットネジ２３のネジ先端を挿入して側面より円板部２３１によって回転させて締め付ける。
【００２４】
図２（ｂ）に基づいて、前記のローレットネジ２３の詳細を説明する。当該ローレットネジ２は中央部に円板部２３１を持ち、その側面（円周面）にはローレット加工が施されている。前記の円板部２３１の両面の平面部中央には座面部２３３が設けられる。さらに前記の座面部２３３の中央にはそれぞれにおネジ部２３２が屹立する。前記のおネジ部２３２の先端はとがり先とし、ネジ穴への挿入を容易にする。
【００２５】
また当該ローレットネジ２３は、その両面におネジを形成することによって組み立て時の組み付け方向選択を容易にする。
【００２６】
前記の図２（ａ）にある通り、第２の装置２の底面にはネジ穴が配設され、第３のオプションとしてさらに第２の装置２を積層接続される際のローレットネジ２３に対応するものである。したがって、当該第２の装置２は特別な制限なしに積層接続されることになる。
【００２７】
また、積層接続する際に、そのネジ締め付けは常に装置側面からローレット面を用いて行なわれるので、組み立て順序に拘束されること無く積層接続の任意の地点での分解および組み込みに適応できる。
【００２８】
【発明の効果】
この発明により、以下に示すような効果が期待できる。
【００２９】
個々の装置筐体を積層して結合するネジ固着構造において、対向する位置に配するネジ穴とすきま穴に嵌合し、締め付け方向に垂直な方向より回転力を受けるローレットネジにより締め付け固着する。
【００３０】
この手段を取ることによって、個々の装置筐体を積層して結合するネジ締め付けの操作を装置側面より行なうことが可能となり、組み付け順序に拘束されることなく個々の装置筐体を組み付けおよび分解が可能となるという効果を得る。
【図面の簡単な説明】
【図１】この発明の代表的な実施例による原理説明図。
【図２】この発明の代表的な実施例による原理説明図。
【図３】従来の技術による原理説明図。
【図４】従来の技術による原理説明図。
【図５】従来の技術による原理説明図。
【符号の説明】
１：第１の装置
２：第２の装置
１１、２１：プリント板ユニット
１２、２２：コネクタ
１３、２４：ネジ穴
２３：ローレットネジ
２３１：円板部
２３２：おネジ部
２３３：座面部
【図１】
2004281592.tif 000003
【図２】
2004281592.tif 000004
【図３】
2004281592.tif 000005
【図４】
2004281592.tif 000006
【図５】
2004281592.tif 000007